(57)【要約】      （修正有）【課題】製造時に、空気補充バルブを一体成型することにより、製造コストを改善する一体式空気補充バルブを備えた軟式テニスボールを提供する。【解決手段】二半球型ゴムを採用し、その各半球フレーム１０，２０を接着してボールに成型し、そのうちの一球フレーム１０の内縁予定部位に成型金型によって空気補充バルブ１１を一体成型し、この空気補充バルブの中心に入気孔１４を形成し、同時に球フレーム内の空気補充バルブの外縁をＯ型ゴムリング１３で締め付けて変形を防止する。【選択図】図１
0003130917.tif 000002
【実用新案登録請求の範囲】
【請求項１】
二つの半球状ゴム材で作られた半球フレームを接着して球状に成型することにより構成される軟式テニスボールにおいて、
軟式テニスボールの半球フレーム成型時に、該半球フレーム内縁の予定位置に空気補充バルブを一体成型し、該空気補充バルブの中心に空気入れの空気補充管を差し込むための入気孔を形成し、前記空気入れの空気補充管が差し込まれない時には該入気孔は強く閉まっている状態を保持することを特徴とする一体式空気補充バルブを備えた軟式テニスボール。
【請求項２】
前記軟式テニスボールの内縁に一体成型する空気補充バルブは、その内側の先端部に比較的大きな端頭部を設置し、該空気補充バルブの外縁をＯ型ゴムリングで締め付け、前記空気補充バルブの端頭部が該Ｏ型ゴムリングに対して脱落防止し、該Ｏ型ゴムリングによって空気補充バルブが締め付けられて変形を防止し、空気補充バルブの形態を保つことを特徴とする請求項１記載の一体式空気補充バルブを備えた軟式テニスボール。
【請求項３】
前記軟式テニスボールは、二半球型ゴム球フレームを金型で結合成型し、その成型時には二球フレームに適量の発泡剤を設置し、金型を閉じて加熱粘着して成型する時、内部の発泡剤が熱よって膨張し、その球フレームと上下金型を結合する金型穴内壁に押さえつけられて球体の形状を有効に保つことを特徴とする請求項１記載の一体式空気補充バルブを備えた軟式テニスボール。
【考案の詳細な説明】
【技術分野】
【０００１】
本考案は、軟式テニスボールに係り、特に空気補充バルブを球体内壁に一体成型して製造コストを下げた一体式空気補充バルブを備えた軟式テニスボールに関するものである。
【背景技術】
【０００２】
一般の軟式テニスボールは、ゴム材で作られ、その内部は中空で有り該中空に適量の空気を入れ、球体に適する弾力を与えている。しかしながら、この軟式テニスボールは、一定期間使用すると、内部の空気が少なくなり、弾性が低下するため、その弾力を回復させるため、空気を補充する必要がある。
【０００３】
このような軟式テニスボールの空気補充機能として、専用の空気入れを使用するが、球体には空気補充バルブを追加設置する必要があり、これらの空気補充バルブは空気漏れ防止作用を有し、球体内部の空気漏れを防止している。
【０００４】
これらの空気補充バルブを設けるため、従来は別途空気漏れ防止機能を有する空気補充バルブを製造した後、嵌合、もしくは粘着方式によって、球体の内部予定部位に配置している。その後、球体の空気補充バルブの位置に差込孔を形成し、そこに空気入れの管を差し込んで空気を球体内部に送り込むようになっている。空気入れの差込管末端の出気孔から軟式テニスボール内に空気が送り込まれ、十分に空気が入った後、差込管を球体から抜くと、空気補充バルブの空気漏れ防止機能により、球体内部の気体は簡単に漏れない構造となっている。
【考案の開示】
【考案が解決しようとする課題】
【０００５】
従来は、空気補充バルブをテニスボールに設けるのに、予め空気補充バルブを製作した後、嵌合、もしくは粘着手段によって球体内部に結合しているので、空気補充バルブのコストは高くなり、同時にこの空気補充バルブを追加設置するのに手間や時間がかかる。更に、この結合品質を維持することは困難で、軟式テニスボールの品質にも影響を与え、経済効率を下げるといった欠点がある。
【０００６】
本考案は、これらの事情に鑑みてなされたもので、空気補充バルブを軟式テニスボールに設けるのに、球体内縁の予定位置に一体成型し、空気補充バルブの追加製造を簡単にした一体式空気補充バルブを備えた軟式テニスボールを提供することを目的とする。
【０００７】
すなわち、本考案の主な目的は、空気補充バルブを球体製造時に内部予定位置に一体成型し、後は球体の組成作業を進めるだけでよいため、製造コストを下げることである。
【０００８】
本考案の別の目的は、Ｏ型ゴムリングを空気補充バルブ外縁に締め付けて変形を防止し、空気補充バルブの形状と空気漏れ機能を維持することである。
【課題を解決するための手段】
【０００９】
本考案による一体式空気補充バルブを備えた軟式テニスボールは、
二半球型ゴムを採用し、その半球フレーム同士を接着して成型し、そのうちの一球フレームの内縁予定部位に成型金型によって一体成型する空気補充バルブを設け、この空気補充バルブの中心には入気孔を形成し、前記空気補充バルブの外縁をＯ型ゴムリングにより締め付けて変形を防止する。更に、半球型球フレームは金型内で分けて設置され、その二球フレームの接着面には接着剤を塗布し、同時に二球フレーム間に適量の発泡剤を入れ、金型を閉じて加熱することにより二球フレームは接着剤によって接着し、同時に内部の発泡剤は熱によって膨張し、球フレームと金型を結合する金型穴内壁に接触して押さえつけられて、更に有効に球体を丸くすることを可能としている。
【考案の効果】
【００１０】
本考案によれば、構造組成において、空気補充バルブを軟式テニスボールに合わせる時、その球体内縁の予定位置に一体成型し、空気補充バルブの追加製造を簡単にし、公知の組合せの際のコストの問題を改善するという利点がある。
【考案を実施するための最良の形態】
【００１１】
以下、図面を参照して本考案の実施例を説明する。
【実施例１】
【００１２】
図１〜図４に示すとおり、本考案の実施例の軟式テニスボールの構造は、二半球形の球フレーム１０、２０を粘着結合してボールを成型する。この二半球形球フレーム１０，２０は、ゴム材から製造され、そのうち球フレーム１０の内縁予定位置にはその成型金型で一体成型した空気補充バルブ１１が成型されている。この空気補充バルブ１１の端部は、やや大きい端頭部を成形している。前記空気補充バルブ１１外縁は、Ｏ型ゴムリング１３で締められている。この空気補充バルブ１１の端頭部１２は、前記Ｏ型ゴムリング１３に対して脱落を防止し、該Ｏ型ゴムリング１３が空気補充バルブ１１を締め付け、空気補充バルブ１１の変形を予防し、空気補充バルブ１１の形態と機能を維持する構造となっている。同時に空気補充バルブ１１の中心は、入気孔１４を貫設している。この入気孔１４は外から内に向かって徐々に径が狭まるよう形成され、ゴム材の弾性作用と共に入気孔１４の内端を密合状態にし、入気孔１４の外端が球体表面に露出している。
【００１３】
軟式テニスボールの組成作業は、一体成型した空気補充バルブ１１を備えた半球形球フレーム１０、及び別の空気補充バルブを備えない半球形球フレーム２０を、上金型１、下金型２、予定位置の金型穴３，４に設置する。二球フレーム１０，２０の間に適量の発泡剤（例として二ニトロソ基五メチル基四アミン  2-nitroso 5meThylene 4-amine）を設置し、金型を閉じて加熱すると、この二球フレーム１０、２０は、両者の間の粘着材によって接着する。同時にその内部の発泡剤は熱で膨張作用を発生し、その球フレーム１０、２０は上、下金型１，２の金型穴３，４内壁が接触して結合する。更にその球体を円にして、一体式の空気補充バルブ１１を備えた軟式テニスボールを製造することができる。
【００１４】
図５は、空気補充バルブの使用状態を説明する参考図である。上述の構造組成から成形されている軟式テニスボールは、一体式空気補充バルブを備え、球体内に空気補充作業をするとき、専用の空気入れ３０の空気補充管３１を入気孔１４に挿通して行う。すなわち、この空気入れ３０の空気補充管３１を、空気補充バルブ１１の入気孔１４に差し込み、空気入れ３１末端の出気孔３１を球体内部に伸ばし入れ、その時この空気入れ３０を押圧すると、球体内部に空気が注ぎ込まれ、予定の弾性が形成されたところで、空気入れ３０の空気補充管３１を球体から抜く。この時、空気補充バルブ１１のゴム材の弾性特性により、入気孔１４を自動的に密接に合わせ、球体内の空気が簡単に漏れることを防止し、これによって軟式テニスボールが十分な空気を保つ。
【００１５】
以上の説明のとおり、本考案は軟式テニスボールに空気補充バルブを設置し、球体は二半球形球フレームによって合わせて粘着組成方式で、そのうちの一球フレームを製造したときに空気補充バルブを一体成型し、二球フレームを合わせてボールを成形する。これによって空気補充バルブを別に設置する面倒が省かれ、同時に空気補充バルブを設置する球体のコストを安定させ、軟式テニスボールの製造が簡易になり、且つコストを下げる効果がある。
【図面の簡単な説明】
【００１６】
【図１】本考案実施例の構造分解図である。
【図２】本考案実施例の一部拡大して示す断面図である。
【図３】本考案実施例の金型を示す説明図である。
【図４】本考案実施例のテニスボールに形成した状態を示す斜視図である。
【図５】本考案実施例の空気補充の様子を示す説明図である。
【符号の説明】
【００１７】
１        上金型
２        下金型
３        金型穴
４        金型穴
１０        球フレーム
１１        空気補充バルブ
１２        端頭部
１３        Ｏ型ゴムリング
１４        入気孔
２０        球フレーム
３０        空気入れ
３１        空気補充管
３２        出気孔
【図１】
0003130917.tif 000003
【図２】
0003130917.tif 000004
【図３】
0003130917.tif 000005
【図４】
0003130917.tif 000006
【図５】
0003130917.tif 000007